(57)【要約】【課題】パノラマ画像を用いたカメラ撮影方向の制御において、より直感的にカメラの撮像方向を制御すること。【解決手段】カメラ端末装置２００で撮像されたパノラマ画像を表示するパノラマ画像表示領域と、パノラマ画像で指定された位置に対応する領域を拡大して拡大画像を表示する拡大画像表示領域と、を表示するように制御する表示処理部３０５と、パノラマ画像上で指定された位置に対応する領域をカメラ端末装置２００で撮像するように制御する制御部３１０と、を有し、表示処理部３０５は、制御部３１０の制御によりカメラ端末装置２００で撮影された画像を拡大画像表示領域に表示し、パノラマ画像は、円形のパノラマ画像である、センターサーバー３００が提供される。【選択図】図２
2010287965.tif 000002
【特許請求の範囲】
【請求項１】
カメラで撮像されたパノラマ画像を表示するパノラマ画像表示領域と、前記パノラマ画像で指定された位置に対応する領域を拡大して拡大画像を表示する拡大画像表示領域と、を表示するように制御する表示制御部と、
前記パノラマ画像上で指定された位置に対応する領域を前記カメラで撮像するように制御するカメラ制御部と、を有し、
前記表示制御部は、前記カメラ制御部の制御により前記カメラで撮影された画像を前記拡大画像表示領域に表示し、
前記パノラマ画像は、円形のパノラマ画像である、制御装置。
【請求項２】
前記円形のパノラマ画像は、前記カメラで複数回撮影された画像に基づいて生成された、請求項１に記載の制御装置。
【請求項３】
前記表示制御部は、パノラマ画像切替操作に応じて、前記パノラマ画像表示領域に表示するパノラマ画像を円形のパノラマ画像から長方形のパノラマ画像に切り替える、請求項１に記載の制御装置。
【請求項４】
前記表示制御部は、前記パノラマ画像表示領域に、円形のパノラマ画像及び長方形のパノラマ画像を表示する、請求項１に記載の制御装置。
【請求項５】
前記表示制御部は、前記パノラマ画像表示領域を画面上にて、移動させることが可能である、請求項１に記載の制御装置。
【請求項６】
カメラで撮像されたパノラマ画像を表示するパノラマ画像表示領域と、前記パノラマ画
像で指定された位置に対応する領域を拡大して拡大画像を表示する拡大画像表示領域と、を表示するように制御する表示制御部と、
前記パノラマ画像上で指定された位置に対応する領域を前記カメラで撮像するように制御するカメラ制御部と、を有し、
前記表示制御部は、前記カメラ制御部の制御により前記カメラで撮影された画像を前記拡大画像表示領域に表示し、
前記表示制御部は、パノラマ画像切替操作に応じて、前記パノラマ画像の形状を切り替える、制御装置。
【請求項７】
前記表示制御部は、パノラマ画像切替操作に応じて、前記パノラマ画像の形状を、円形から長方形に切り替える、請求項６に記載の制御装置。
【請求項８】
画像を撮像するカメラと、前記カメラを制御する制御装置とを有するカメラシステムであって、
前記制御装置は、
前記カメラで撮像されたパノラマ画像を表示するパノラマ画像表示領域と、前記パノラマ画像で指定された位置に対応する領域を拡大して拡大画像を表示する拡大画像表示領域と、を表示するように制御する表示制御部と、
前記パノラマ画像上で指定された位置に対応する領域を前記カメラで撮像するように制御するカメラ制御部と、を有し、
前記表示制御部は、前記カメラ制御部の制御により前記カメラで撮影された画像を前記拡大画像表示領域に表示し、
前記パノラマ画像は、円形のパノラマ画像である、カメラシステム。
【請求項９】
前記円形のパノラマ画像は、前記カメラで複数回撮影された画像に基づいて生成された、請求項８に記載のカメラシステム。
【請求項１０】
前記表示制御部は、パノラマ画像切替操作に応じて、前記パノラマ画像表示領域に表示するパノラマ画像を円形のパノラマ画像から長方形のパノラマ画像に切り替える、請求項８に記載のカメラシステム。
【請求項１１】
前記表示制御部は、前記パノラマ画像表示領域に、円形のパノラマ画像及び長方形のパノラマ画像を表示する、請求項８に記載のカメラシステム。
【請求項１２】
前記表示制御部は、前記パノラマ画像表示領域を画面上にて、移動させることが可能である、請求項８に記載のカメラシステム。
【請求項１３】
画像を撮像するカメラと、前記カメラを制御する制御装置とを有するカメラシステムであって、
前記制御装置は、
カメラで撮像されたパノラマ画像を表示するパノラマ画像表示領域と、前記パノラマ画
像で指定された位置に対応する領域を拡大して拡大画像を表示する拡大画像表示領域と、を表示するように制御する表示制御部と、
前記パノラマ画像上で指定された位置に対応する領域を前記カメラで撮像するように制御するカメラ制御部と、を有し、
前記表示制御部は、前記カメラ制御部の制御により前記カメラで撮影された画像を前記拡大画像表示領域に表示し、
前記表示制御部は、パノラマ画像切替操作に応じて、前記パノラマ画像の形状を切り替える、カメラシステム。
【請求項１４】
前記表示制御部は、パノラマ画像切替操作に応じて、前記パノラマ画像の形状を、円形から長方形に切り替える、請求項１３に記載のカメラシステム。
【請求項１５】
カメラで撮像された円形のパノラマ画像を表示するパノラマ画像表示領域と、前記カメラで撮影された画像のうち前記パノラマ画像で指定された位置に対応する領域を拡大して拡大画像を表示する拡大画像表示領域と、を一画面上で表示するように制御する第１の手段、
前記パノラマ画像上で指定された位置に対応する領域を前記カメラで撮像するように制御する第２の手段、
としてコンピュータを機能させるためのプログラム。
【請求項１６】
前記円形のパノラマ画像は、前記カメラで複数回撮影された画像に基づいて生成された、請求項１５に記載のプログラム。
【請求項１７】
前記第１の手段は、パノラマ画像切替操作に応じて、前記パノラマ画像表示領域に表示するパノラマ画像を円形のパノラマ画像から長方形のパノラマ画像に切り替える、請求項１５に記載のプログラム。
【請求項１８】
前記第１の手段は、前記パノラマ画像表示領域に、円形のパノラマ画像及び長方形のパノラマ画像を表示する、請求項１５に記載のプログラム。
【請求項１９】
前記第１の手段は、前記パノラマ画像表示領域を画面上にて、移動させることが可能である、請求項１５に記載のプログラム。
【発明の詳細な説明】
【技術分野】
【０００１】
本発明は、制御装置、カメラシステム及びプログラムに関する。
【背景技術】
【０００２】
従来、例えば下記の特許文献１に記載されているように、撮像装置の撮像方向を速やかに所望の方向に移動させることを目的とした撮像システムが知られている。
【先行技術文献】
【特許文献】
【０００３】
【特許文献１】特開２００７−４３５０５号公報
【発明の概要】
【発明が解決しようとする課題】
【０００４】
特許文献１に記載された技術は、長方形のパノラマ画像に基づいて撮像装置の撮像方向を移動させるよう制御するものである。しかしながら、パノラマ画像に対応する撮像対象が、長方形の場合にしか、パノラマ画像に基づいた制御が直感的にはならないという課題を生じる。
【０００５】
そこで、本発明は、上記課題に鑑みてなされたものであり、本発明の目的とするところは、撮像対象が長方形以外の場合にも、パノラマ画像に基づいた撮像装置の撮像方向の制御をより直感的にできる制御装置、カメラシステム及びプログラムを提供することにある。
【課題を解決するための手段】
【０００６】
上記課題を解決するために、本発明のある観点によれば、カメラで撮像されたパノラマ画像を表示するパノラマ画像表示領域と、前記パノラマ画像で指定された位置に対応する領域を拡大して拡大画像を表示する拡大画像表示領域と、を表示するように制御する表示制御部と、前記パノラマ画像上で指定された位置に対応する領域を前記カメラで撮像するように制御するカメラ制御部と、を有し、前記表示制御部は、前記カメラ制御部の制御により前記カメラで撮影された画像を前記拡大画像表示領域に表示し、前記パノラマ画像は、円形のパノラマ画像である、制御装置が提供される。
【０００７】
また、前記円形のパノラマ画像は、前記カメラで複数回撮影された画像に基づいて生成されたものであってもよい。
【０００８】
また、前記表示制御部は、パノラマ画像切替操作に応じて、前記パノラマ画像表示領域に表示するパノラマ画像を円形のパノラマ画像から長方形のパノラマ画像に切り替えるものであってもよい。
【０００９】
また、前記表示制御部は、前記パノラマ画像表示領域に、円形のパノラマ画像及び長方形のパノラマ画像を表示するものであってもよい。
【００１０】
また、前記表示制御部は、前記パノラマ画像表示領域を画面上にて、移動させることが可能であるものであってもよい。
【００１１】
また、上記課題を解決するために、本発明の別の観点によれば、カメラで撮像されたパノラマ画像を表示するパノラマ画像表示領域と、前記パノラマ画像で指定された位置に対応する領域を拡大して拡大画像を表示する拡大画像表示領域と、を表示するように制御する表示制御部と、前記パノラマ画像上で指定された位置に対応する領域を前記カメラで撮像するように制御するカメラ制御部と、を有し、前記表示制御部は、前記カメラ制御部の制御により前記カメラで撮影された画像を前記拡大画像表示領域に表示し、
前記表示制御部は、パノラマ画像切替操作に応じて、前記パノラマ画像の形状を切り替える、制御装置が提供される。
【００１２】
また、前記表示制御部は、パノラマ画像切替操作に応じて、前記パノラマ画像の形状を、円形から長方形に切り替えるものであってもよい。
【００１３】
また、上記課題を解決するために、本発明の別の観点によれば、画像を撮像するカメラと、前記カメラを制御する制御装置とを有するカメラシステムであって、前記制御装置は、前記カメラで撮像されたパノラマ画像を表示するパノラマ画像表示領域と、前記パノラマ画像で指定された位置に対応する領域を拡大して拡大画像を表示する拡大画像表示領域と、を表示するように制御する表示制御部と、前記パノラマ画像上で指定された位置に対応する領域を前記カメラで撮像するように制御するカメラ制御部と、を有し、前記表示制御部は、前記カメラ制御部の制御により前記カメラで撮影された画像を前記拡大画像表示領域に表示し、前記パノラマ画像は、円形のパノラマ画像である、カメラシステムが提供される。
【００１４】
また、前記円形のパノラマ画像は、前記カメラで複数回撮影された画像に基づいて生成されたものであってもよい。
【００１５】
また、前記表示制御部は、パノラマ画像切替操作に応じて、前記パノラマ画像表示領域に表示するパノラマ画像を円形のパノラマ画像から長方形のパノラマ画像に切り替えるものであってもよい。
【００１６】
また、前記表示制御部は、前記パノラマ画像表示領域に、円形のパノラマ画像及び長方形のパノラマ画像を表示するものであってもよい。
【００１７】
また、前記表示制御部は、前記パノラマ画像表示領域を画面上にて、移動させることが可能であるものであってもよい。
【００１８】
また、上記課題を解決するために、本発明の別の観点によれば、画像を撮像するカメラと、前記カメラを制御する制御装置とを有するカメラシステムであって、前記制御装置は、カメラで撮像されたパノラマ画像を表示するパノラマ画像表示領域と、前記パノラマ画像で指定された位置に対応する領域を拡大して拡大画像を表示する拡大画像表示領域と、を表示するように制御する表示制御部と、前記パノラマ画像上で指定された位置に対応する領域を前記カメラで撮像するように制御するカメラ制御部と、を有し、前記表示制御部は、前記カメラ制御部の制御により前記カメラで撮影された画像を前記拡大画像表示領域に表示し、前記表示制御部は、パノラマ画像切替操作に応じて、前記パノラマ画像の形状を切り替える、カメラシステムが提供される。
【００１９】
また、前記表示制御部は、パノラマ画像切替操作に応じて、前記パノラマ画像の形状を、円形から長方形に切り替えるものであってもよい。
【００２０】
また、上記課題を解決するために、本発明の別の観点によれば、カメラで撮像された円形のパノラマ画像を表示するパノラマ画像表示領域と、前記カメラで撮影された画像のうち前記パノラマ画像で指定された位置に対応する領域を拡大して拡大画像を表示する拡大画像表示領域と、を表示するように制御する第１の手段、前記パノラマ画像上で指定された位置に対応する領域を前記カメラで撮像するように制御する第２の手段、としてコンピュータを機能させるためのプログラムが提供される。
【００２１】
また、前記円形のパノラマ画像は、前記カメラで複数回撮影された画像に基づいて生成されたものであってもよい。
【００２２】
また、前記第１の手段は、パノラマ画像切替操作に応じて、前記パノラマ画像表示領域に表示するパノラマ画像を円形のパノラマ画像から長方形のパノラマ画像に切り替えるものであってもよい。
【００２３】
また、前記第１の手段は、前記パノラマ画像表示領域に、円形のパノラマ画像及び長方形のパノラマ画像を表示するものであってもよい。
【００２４】
また、前記第１の手段は、前記パノラマ画像表示領域を画面上にて、移動させることが可能であるものであってもよい。
【発明の効果】
【００２５】
本発明によれば、パノラマ画像上において、撮像装置の撮像方向の制御をより直感的にできる、制御装置、カメラシステム及びプログラムを提供することができる。
【図面の簡単な説明】
【００２６】
【図１】本発明の一実施形態に係る撮像システムの全体構成を示す模式図である。
【図２】図１のシステムにおいて、カメラ端末装置とセンターサーバーの構成を詳細に示す模式図である。
【図３】カメラ端末装置２００のパン動作、チルト動作を説明するための模式図である。
【図４】パノラマ画と俯瞰画の表示状態を示す模式図である。
【図５】俯瞰画信号ＤＦを生成する処理を説明するための模式図である。
【図６】俯瞰画信号ＤＦを生成する処理を説明するための模式図である。
【図７】俯瞰画信号ＤＦを生成する処理を説明するための模式図である。
【図８】俯瞰画信号ＤＦを生成する処理を説明するための模式図である。
【図９】モニターの表示画面を示す模式図である。
【図１０】操作パネルによる操作を説明するための模式図である。
【図１１】パネル“View”をクリックした場合に“Screen Mode”、“View Size” “Image Codec”、“Frame Rate”などのメニューが表示された状態を示す模式図である。
【図１２】パネル“Camera”をクリックした場合に表示されるメニューを示す模式図である。
【図１３】“Presetposition”、“Trigger”、“Other”、“information”をクリックした場合に表示される各メニューを示す模式図である。
【図１４】俯瞰画像の表示について説明するための模式図である。
【図１５】俯瞰画像の表示について説明するための模式図である。
【図１６】俯瞰画像の表示について説明するための模式図である。
【図１７】俯瞰画像の表示について説明するための模式図である。
【図１８】俯瞰画像の表示について説明するための模式図である。
【図１９】通常のパノラマ画像の代わりに、円筒状の曲面にパノラマ画像を表示して参照画像とした例を示す模式図である。
【図２０】第１のパノラマ画像の表示による効果について説明するための模式図である。
【図２１】第１のパノラマ画像の表示による効果について説明するための模式図である。
【図２２】第１のパノラマ画像の表示による効果について説明するための模式図である。
【発明を実施するための形態】
【００２７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２８】
なお、説明は以下の順序で行うものとする。
１．第１の実施の形態（カメラ端末装置とサーバーからなる撮像システムの例）
（１）撮像システムの構成例
（２）カメラ端末装置とセンターサーバーの構成例
（３）第１のパノラマ画像及び第２のパノラマ画像の表示動作について
（４）第１のパノラマ画像を生成する処理について
（５）ＧＵＩについて
（６）第１のパノラマ画像上での撮影方向の指定
【００２９】
＜１．第１の実施形態＞
（１）撮像システムの構成例
図１は、本発明の一実施形態に係る撮像システムの全体構成を示す模式図である。撮像システム１００は、カメラ端末装置（ＩＰカメラ）２００、センターサーバー３００、クライアント４００を有しており、複数のカメラ端末装置２００、センターサーバー３００及びクライアント４００は、ネットワーク５００を介して接続されている。また、ネットワーク５００には、プロキシサーバー６００が接続されており、プロキシサーバー６００には複数のカメラ端末装置２００が接続されている。また、センターサーバー３００にはモニター３１０が接続されている。本実施形態において、カメラ端末装置２００は、例えば屋内又は屋外に設置される監視カメラであって、カメラ端末装置２００で取得した画像をセンターサーバー３００のモニタ３１０に表示することで、カメラ端末装置２００が設置された領域を監視できる。クライアント４００は、ネットワーク５００を介してカメラ端末装置２００、センターサーバー３００、またはプロキシサーバー６００と接続される。また、クライアント４００は、後述するセンターサーバ３００の機能とモニタ３１０の機能を備えるものであっても良い。カメラ端末装置２００で撮影された映像は、ネットワーク５００を介してクライアント４００に送られ、クライアント４００の表示画面には後述するライブ映像とともに第１のパノラマ画像、第２のパノラマ画像が表示される。なお、カメラ端末装置２００の例として、IPカメラをあげているが、これに限定されず、アナログカメラであってもよい。
パノラマ画像は、カメラ端末装置２００で撮像可能な範囲を示している。パノラマ画像には、様々な形状があり、例えば、図４のように、円形のパノラマ画像や長方形のパノラマ画像、図１９のように、円筒面上に投射したような輪っか状のパノラマ画像などがある。以下、実施形態において、第１のパノラマ画像及び第２のパノラマ画像の例として、それぞれ円形のパノラマ画像及び長方形のパノラマ画像をあげて説明する。
【００３０】
（２）カメラ端末装置とセンターサーバーの構成例
図２は、図１のシステムにおいて、カメラ端末装置２００とセンターサーバー３００の構成を詳細に示す模式図である。図２に示すカメラ端末装置２００またはセンターサーバー３００の各構成要素は、ハードウェア（回路など）または、ＣＰＵなどの演算処理装置とこれを機能させるためのソフトウェア（プログラム）によって構成することができる。カメラ端末装置２００のカメラ部２０１は、撮像光学系を含み、後述する端末制御部２１０から供給された撮像制御信号ＣＴaに基づいて撮像動作を行い、映像信号Ｄcamを生成する。また、カメラ部２０１は、生成した映像信号Ｄcamを、バス２２０を介して信号処理部２０２に供給する。なお、バス２２０には、メモリ部２０３、撮像方向制御部２０４、ネットワークインタフェース部２０６、記憶部２０７、端末制御部２１０も接続されている。
【００３１】
信号処理部２０２は、映像信号Ｄcamの圧縮処理を行い、得られた映像符号化信号ＤＶをメモリ部２０３に記憶させる。また、カメラ部２０１の撮像方向を順次移動して得られた映像信号Ｄcamを用いて第１のパノラマ画の映像信号（以下「第１のパノラマ画信号という」ＤＦ及び第２のパノラマ画の映像信号（以下「第２のパノラマ画信号」という）ＤＰを生成して、記憶部２０７に記憶させる。なお、映像信号Ｄcamの圧縮処理や、第１のパノラマ画信号ＤＦまたは第２のパノラマ画信号ＤＰの生成は、後述する端末制御部２１０から供給された信号処理制御信号ＣＴbに基づいて行う。
【００３２】
撮像方向制御部２０４は、カメラ部２０１の撮像方向を、後述する端末制御部２１０から供給された方向制御信号ＣＴcによって指示された方向に移動させるため、撮像方向を移動する際の速度や加速度の計算を行う。また、計算結果に基づきパン動作を行うための駆動信号ＭＤpやチルト動作を行うための駆動信号ＭＤtを生成して、撮像方向調整部２０５に供給する。また、撮像方向制御部２０４は、カメラ部２０１の撮像方向がいずれの方向であるかを示すカメラ位置情報信号ＰＭを生成して、端末制御部２１０に供給する。
【００３３】
撮像方向調整部２０５は、カメラ部２０１を左右方向に移動させるパン動作モータと、カメラ部２０１を上下方向に移動させるチルト動作モータを有している。撮像方向調整部２０５は、駆動信号ＭＤpによってパン動作モータ、駆動信号ＭＤtによってチルト動作モータをそれぞれ駆動して、カメラ部２０１の撮像方向を方向制御信号ＣＴcによって指示された方向に調整する。また、撮像方向調整部２０５は、動作範囲が制限されることなくエンドレスにパン動作を行うものとする。
【００３４】
図３は、カメラ端末装置２００のパン動作、チルト動作を説明するための模式図であって、カメラ端末装置２００を天井などに装着した場合を示している。ここで、図３（Ｂ）は、本実施形態に係るカメラ端末装置２００のパン・チルト動作を示している。一方、図３（Ａ）は、比較のため、一般的なカメラ端末装置のパン・チルト動作を示している。図３（Ａ）に示すように、一般的なカメラ端末装置では、パン動作を３６０°のエンドレスで行い、チルト動作については、鉛直方向から水平方向までの９０°の範囲で行う。これに対し、本実施形態に係るカメラ端末装置２００は、パン動作を３６０°のエンドレスで行うとともに、チルト動作については、鉛直方向を中心として２２０°の範囲で行うことができる。従って、後述する手法により第１のパノラマ画の映像信号ＤＦを生成して記憶部２０７に記憶することができる。後述の第１のパノラマ画像は、円形のパノラマ画像であり、円の中央付近を中心をまたいで、撮像方向を操作する場合に、本実施形態に係るカメラ端末装置２００は、目的撮像方向まで最短でメカ的にも移動することができる。一方、一般的なカメラ端末装置では、円の中心をまたぐようにはカメラ撮像方位をメカ的に移動させることができない。
【００３５】
ネットワークインタフェース部２０６は、カメラ端末装置２００とセンターサーバー３００との間で、ネットワーク５００を介して通信を行うためのインタフェースである。
【００３６】
端末制御部２１０は、撮像制御信号ＣＴaによってカメラ部２０１を制御し、信号処理制御信号ＣＴbによって信号処理部２０２を制御し、方向制御信号ＣＴcによって撮像方向制御部２０４を制御して、撮像方向を順次移動しながら撮像を行う。そして、端末制御部２１０は、得られた映像信号Ｄcamに基づいて第１のパノラマ画信号ＤＦ及び第２のパノラマ画信号ＤＰを生成させて記憶部２０７に記憶させる。
【００３７】
本実施形態に係る撮像システム１００は、映像信号Ｄcamによるライブ映像と、第１のパノラマ画信号ＤＦまたは第２のパノラマ画信号ＤＰによる第１のパノラマ画または第２のパノラマ画を共にカメラ端末装置２００からセンターサーバー３００に送信し、モニター３１０に表示することができる。尚、本明細書において、第１のパノラマ画像及び第２のパノラマ画像を参照画像と称する場合がある。図４は、第２のパノラマ画と第１のパノラマ画の表示状態を示す模式図である。センターサーバー３００は、ユーザの選択に応じて、第１のパノラマ画または第２のパノラマ画の一方をモニター３１０にライブ映像とともに表示することができる。また、センターサーバー３００は、第１のパノラマ画及び第２のパノラマ画の双方をライブ映像とともに表示するように構成されていても良い。なお、図４の右図では、中央付近の画像が欠けた円形のパノラマ画像を第１のパノラマ画像としているが、これに限定されず、中央付近の画像が欠けていない円形のパノラマ画像を第１のパノラマ画像としてもよい。
【００３８】
カメラ端末装置２００は、天井などに設置され、カメラ端末装置２００の下方向の画像を表示する。このため、図４に示すように、第１のパノラマ画は、カメラ端末装置２００から下向きに延在する鉛直線を中心として、パン３６０°、チルト２２０°の範囲で取得され、その輪郭は円形となる。
【００３９】
また、撮像方向調整部２０５は、上述のようにエンドレスにパン動作を行うことができるように構成されている。したがって、記憶部２０７に記憶する第２のパノラマ画像は、例えば図４に示すように、画像が重複しないように、一方の端部が基準方向から「＋１８０°」の角度差、他方の端部が基準方向から「−１８０°」の角度差を有するものとする。また、パン動作の動作範囲が制限されないので、例えば動作範囲が制限されている場合のように、動作範囲の中央位置を基準方向とすることができない。したがって、基準方向を予め設定しておき、この基準方向が第２のパノラマ画像の中央位置となるように第２のパノラマ画信号ＤＰを生成する。また、撮像方向制御部２０４は、カメラ位置情報信号ＰＭとして、予め設定された基準方向に対する撮像方向の例えば角度差を示す信号を生成する。
【００４０】
このように基準方向を予め設定しておくものとすれば、第２のパノラマ画像がいずれの方向を基準とした撮像動作によって生成された画像であるかを判別する必要がない。また、カメラ位置情報信号ＰＭによって、基準方向に対する撮像方向の角度差を示すものとすれば、第２のパノラマ画像上におけるカメラ位置情報信号ＰＭに基づく撮像方向の位置を容易に判別できる。
【００４１】
チルト動作においても、予め基準方向を設定しておき、カメラ位置情報信号ＰＭによって、基準方向に対する撮像方向の角度差を示すものとする。これにより、第１のパノラマ画像、第２のパノラマ画像の双方において、カメラ位置情報信号ＰＭに基づく撮像方向の位置を容易に判別できる。なお、チルト動作については、カメラ端末装置２００が天井に設置されている場合、鉛直方向を基準方向とすることができる。
【００４２】
端末制御部２１０は、ネットワークインタフェース部２０６を介してセンターサーバー３００から供給されたコマンド信号ＣＭを解析して、撮像制御信号ＣＴaや信号処理制御信号ＣＴb，方向制御信号ＣＴcの生成を行う。また、メモリ部２０３に記憶されている映像符号化信号ＤＶや、記憶部２０７に記憶されている第１のパノラマ画信号ＤＦ、第２のパノラマ画信号ＤＰ、および撮像方向制御部２０４から供給されたカメラ位置情報信号ＰＭをセンターサーバー３００に送出する処理等を行う。
【００４３】
センターサーバー３００のネットワークインタフェース部３０１は、カメラ端末装置２００とセンターサーバー３００とで、ネットワーク５００を介して通信を行うためのインタフェースである。ネットワークインタフェース部３０１は、カメラ端末装置２００から供給された映像符号化信号ＤＶを伸長処理部３０２に供給する。また、ネットワークインタフェース部３０１は、カメラ位置情報信号ＰＭを位置判別処理部３０３に供給し、第１のパノラマ画信号ＤＦ及び第２のパノラマ画信号ＤＰを画像処理部３０４に供給する。
【００４４】
伸長処理部３０２は、映像符号化信号ＤＶの伸長処理を行い、得られた映像信号Ｄcamを表示処理部３０５に供給する。
【００４５】
位置判別処理部３０３は、カメラ位置情報信号ＰＭで示された撮像方向が第１のパノラマ画像または第２のパノラマ画像のいずれの位置に対応するか判別して、位置判別結果ＫＰを画像処理部３０４に供給する。ここで、カメラ位置情報信号ＰＭは、上述のように予め設定した基準方向がパン動作、チルト動作の中央位置となるように第１のパノラマ画信号ＤＦまたは第２のパノラマ画信号ＤＰを生成し、カメラ位置情報信号ＰＭは基準方向と現在の撮像方向の角度差を示すものとすれば、カメラ位置情報信号ＰＭに基づき、現在の撮像方向が俯瞰画像または第２のパノラマ画像のいずれの位置に対応するか容易に判別できる。
【００４６】
画像処理部３０４は、位置判別結果ＫＰに基づいて画像処理を行い、第１のパノラマ画像の第１のパノラマ画信号ＤＦＣ、及び第２のパノラマ画像の第２のパノラマ画信号ＤＰＣを生成する。第２のパノラマ画信号ＤＰＣについては、位置判別結果ＫＰにより判別された位置が中央位置とされた第２のパノラマ画信号ＤＰＣを生成することができる。この場合、画像処理部３０４では、判別された位置と第２のパノラマ画像の中心位置との差分量を判別して、この判別した差分量に基づいて、判別された位置が画像の中央位置となるように第２のパノラマ画像を処理する。すなわち、判別された位置を中央位置として「±１８０°」の第２のパノラマ画像表示画枠を設定して、第２のパノラマ画像表示画枠から外れる差分量分の領域の第２のパノラマ画像を、画像の無い領域に貼り付けることで、判別された位置を中央位置とした第２のパノラマ画像の第２のパノラマ画信号ＤＰＣを生成する。第１のパノラマ画信号ＤＦＣの場合においても、後述する「第１のパノラマ画像を回転させるモード」の場合は、第２のパノラマ画信号ＤＰＣと同様に、判別された位置と第１のパノラマ画のパン方向の基準位置との差分量を判別して、この判別した差分量に基づいて、判別された位置が画像の上に位置するように第１のパノラマ画像を処理する。また、画像処理部３０４は、第１のパノラマ画信号ＤＦＣ及び第２のパノラマ画信号ＤＰＣのそれぞれにおいて、位置判別結果ＫＰに基づく位置（カメラ部２０１の撮像光学系の光軸が向いている位置）を表示する。さらに、画像処理部３０４は、画像処理を行うことにより生成した第１のパノラマ画信号ＤＦＣ及び第２のパノラマ画信号ＤＰＣを表示処理部３０５に供給する。
【００４７】
表示処理部３０５は、伸長処理部３０２から供給された映像信号Ｄcamや、画像処理部３０４から供給された第１のパノラマ画信号ＤＦＣ及び第２のパノラマ画信号ＤＰＣを用いて表示駆動信号ＨＤを生成してモニター３１０に供給する。また、表示処理部３０５は、後述する制御部３１０から供給されたＧＵＩ表示制御信号ＣＴgに基づいて生成したＧＵＩ用映像信号を用いて、表示駆動信号ＨＤを生成してモニター３１０に供給する。
【００４８】
モニター３１０は、表示駆動信号ＨＤに基づいて、表示素子例えば液晶表示素子やプラズマ表示素子あるいは陰極線管等を駆動して、第１のパノラマ画像、撮像方向を中央位置とした第２のパノラマ画像やカメラ部２０１の撮像画像（ライブ映像）、ＧＵＩ画像等を画面上に表示する。
【００４９】
ユーザインタフェース部３１５は、ＧＵＩが用いられており、モニター３１０を用いてユーザに対する情報の提示を行い、提示された情報に基づき操作入力手段であるポインティングデバイスやキーボード等でユーザ操作が行われたとき、ユーザ操作に応じた操作信号ＵＳを制御部３１０に供給して所望の動作等を行わせる。
【００５０】
制御部３１０は、操作信号ＵＳとモニター３１０の表示状態に基づき、ユーザがどのような処理の選択やどのような処理の実行を要求したか判別して、判別結果に基づき制御信号ＣＴmを生成して各部に供給し、センターサーバー３００の動作を制御する。また、判別結果に基づきコマンド信号ＣＭを生成して、ネットワークインタフェース部３０１を介してカメラ端末装置２００に供給し、カメラ端末装置２０の動作を制御する。さらに、制御部３１０は、ＧＵＩ表示制御信号ＣＴgを生成して表示処理部３０５に供給する。
【００５１】
なお、上述した例では、カメラ端末装置２００が映像信号Ｄcamから第１のパノラマ画の映像信号ＤＦ及び第２のパノラマ画の映像信号ＤＰを生成したが、センターサーバー３００またはクライアント４００が第１のパノラマ画の映像信号ＤＦ及び第２のパノラマ画の映像信号ＤＰを生成しても良い。この場合、カメラ端末装置２００のネットワークインタフェース部２０６は、カメラブロック２０１から出力された映像信号Ｄcamをセンターサーバー３００またはクライアント４００へ送る。センターサーバー３００またはクライアント４００は、カメラ端末装置２００と同様の信号処理部を備えることで、第１のパノラマ画の映像信号ＤＦ及び第２のパノラマ画の映像信号ＤＰを生成することができる。第１のパノラマ画の映像信号ＤＦ及び第２のパノラマ画の映像信号ＤＰは、センターサーバー３００またはクライアント４００が備えるハードディスク等のメモリに記憶される。
【００５２】
（３）第１のパノラマ画像及び第２のパノラマ画像の表示動作について
次に、第１のパノラマ画像及び第２のパノラマ画像表示動作について説明する。制御部３１０は、動作開始時に、カメラ端末装置２００に対して、第１のパノラマ画信号ＤＦ及び第２のパノラマ画信号ＤＰとカメラ位置情報信号ＰＭおよび映像符号化信号ＤＶを要求するコマンド信号ＣＭを送信する。カメラ端末装置２００は、記憶部２０７に第１のパノラマ画信号ＤＦ、第２のパノラマ画信号ＤＰを記憶しているとき、この第１のパノラマ画信号ＤＦ、第２のパノラマ画信号ＤＰを読み出してセンターサーバー３００に送信する。また、カメラ端末装置２００は、画記憶部２０７に第１のパノラマ画信号ＤＦまたは第２のパノラマ画信号ＤＰが記憶されていないとき、カメラ部２０１や信号処理部２０２および撮像方向制御部２０４を制御して、撮像方向を移動しながら撮像動作を行い、第１のパノラマ画信号ＤＦ及び第２のパノラマ画信号ＤＰを生成してセンターサーバー３００に送信する。なお、カメラ端末装置２００は、生成した第１のパノラマ画信号ＤＦ及び第２のパノラマ画信号ＤＰは、記憶部２０７に記憶させる。
【００５３】
カメラ端末装置２００は、撮像方向制御部２０４で生成したカメラ位置情報信号ＰＭをセンターサーバー３００に供給する。また、カメラ端末装置２００は、カメラ部２０１の撮像動作を開始して、得られた映像信号Ｄcamを信号処理部２０２で圧縮し映像符号化信号ＤＶをメモリ部２０３に記憶させる。さらに、メモリ部２０３に記憶されている映像符号化信号ＤＶをセンターサーバー３００に供給する。なお、図１に示すように、カメラ端末装置２００とネットワーク５００とがプロキシサーバ６００を介して接続されている場合、カメラ端末装置２００とセンターサーバー３００との間の情報のやり取りは、プロキシサーバ６００を経由して行われる。
【００５４】
センターサーバー３００の位置判別処理部３０３は、カメラ位置情報信号ＰＭで示された撮像方向が第１のパノラマ画像または第２のパノラマ画像のいずれの位置に対応するか判別して、位置判別結果ＫＰを画像処理部３０４に供給する。第２のパノラマ画を例に挙げると、例えばカメラ位置情報信号ＰＭで示す角度差が「０°」であるとき、撮像方向は基準方向に設定されていることから、撮像方向の位置は第２のパノラマ画像の中央位置となっている。
【００５５】
画像処理部３０４は、位置判別結果ＫＰに基づいて画像処理を行う。ここで、位置判別結果ＫＰによって、撮像方向の位置が第２のパノラマ画像の中央位置であることが示されたときは、撮像方向の画像が第２のパノラマ画像の中央となっていることから、第２のパノラマ画像処理を行うことなく、第２のパノラマ画信号ＤＰを第２のパノラマ画信号ＤＰＣとして表示処理部３０５に供給する。一方、撮像方向の位置が第２のパノラマ画像の中央位置でない場合は、判別された撮像方向の位置と第２のパノラマ画像の中心位置との差分量を判別して、この判別した差分量に基づいて、判別された位置が画像の中央位置となるように第２のパノラマ画像を処理し、第２のパノラマ画信号ＤＰＣを生成する。
【００５６】
このため、第２のパノラマ画像においては、例えばカメラ位置情報信号ＰＭで示す角度差が「０°」であるとき、表示処理部３０５からの表示駆動信号ＨＤによって駆動されるモニター３１０の画面上には、カメラ部２０１で撮影された撮像画像と、基準方向が中央位置とされている第２のパノラマ画像、およびＧＵＩに関する画像が表示される。
【００５７】
第１のパノラマ画像の場合、後述する「第１のパノラマ画像を回転させるモード」の場合は、第２のパノラマ画信号ＤＰＣと同様に、判別された位置と第１のパノラマ画像のパン方向の基準位置との差分量を判別して、この判別した差分量に基づいて、判別された位置が画像の下（後述する直線Ｌ上）に位置するように第１のパノラマ画像を回転させ、第１のパノラマ画信号ＤＦＣを生成する。また、画像処理部３０４は、第１のパノラマ画信号ＤＦＣ及び第２のパノラマ画信号ＤＰＣのそれぞれにおいて、位置判別結果ＫＰに基づく撮像方向の位置（カメラ部２０１の撮像光学系の光軸が向いている位置）を表示する。
【００５８】
伸長処理部３０２は、映像符号化信号ＤＶを伸長して、得られた映像信号Ｄcamを表示処理部３０５に供給する。また、制御部３１０は、ＧＵＩ表示を行うためのＧＵＩ表示制御信号ＣＴgを表示処理部３０５に供給する。
【００５９】
（４）第１のパノラマ画像を生成する処理について
次に、第１のパノラマ画信号ＤＦを生成する処理について、図５〜図８に基づいて説明する。第１のパノラマ画像信号ＤＦを生成する際には、第１のパノラマ画像の領域毎に画像を取得する。先ず、図５に示すように、カメラ端末装置２００のズームを固定して、ある任意の間隔でパン、チルトを行い、静止画を取得する。図５中に示す数字は、画像取得の順番を示している。
【００６０】
次に、以下の［１］〜［３］の手順により、静止画像座標系の座標変換を行う。ここでは、図６に示すように、静止画像の各点を、カメラ端末装置２００の回転中心から見た相対位置(x,y,z)に変換する。
［１］    水平画角thh[degree]、アスペクト比aのカメラの視点を原点に置き、-z方向に向ける。距離Lの位置に被写体平面(x, y, -L)を考えると、見える範囲は 2Lx × 2Ly の長方形になる。ここで、Lx=L・tan(thh/2)、Ly=Lx/aの関係が成立する。
［２］    カメラの姿勢は本来(x, y,
z, p, q, r)であるが、視点の位置が原点に固定されていると考えると、x=y=z=0であり、ここでは(p, q, r)  （p: Pan(y軸回転), q: Tilt(x軸回転), r: roll(z軸回転)）のみを考える。
［３］    (2Lx)×(2Ly)の長方形内の点(j, i)を用いると下記の式が成り立つ。
x=Lx × (j-Lx)/Lx
y = Ly × (i - Ly) / Ly
z = -L
［４］    (x, y, z)を用いて以下のRoll変換、Tilt変換、Pan変換式を適用する。
【００６１】
【数１】
2010287965.tif 000003
【００６２】
ここで得られた(x3,y3,z3)が、静止画像のある点（x,y,z)をカメラの回転中心から見た座標系で表した値となる。
【００６３】
次に、相対位置を緯度、経度に変換する。ここでは、図７に示すように、上記で得られた(x3,y3,z3)を緯度、経度に変換する。(x3, y3, z3)の方向が-zの方向に対して水平方向となす角度が経度であり、またx-z平面となす角度が緯度になり、以下の式で求めることができる。
・緯度(Latitude)
La =  tan-1
( y3 / ::sqrt( x3 * x3 + z3 * z3))
・経度(Lo)
0.0 < z3のとき
0.0 < x3の場合  Lo = 90.0 + La
0.0≧x3の場合  Lo = -90.0 - La
0.0 ≧ z3のとき
Lo =
tan-1( x3 / z3) / RAD
ただし、
RAD = π/ 180  (π:円周率)
【００６４】
次に、第１のパノラマ画像への変換を行う。ここでは、図８に示すように、得られた緯度、経度（La,Lo）を、緯度を半径の軸、経度を円周方向の座標系で表す。
【００６５】
以上のようにして、第１のパノラマ画信号ＤＦを生成することができる。
【００６６】
（５）ＧＵＩについて
次に、ＧＵＩについて説明する。図９は、モニター３１０の表示画面を示す模式図である。図９では、通常の画面と全画面表示の双方を示しており、いずれの場合においても、画面左側に操作パネル（コントロールパネル）が表示され、画面右側にライブ映像が表示されている。操作パネルの“Screen Mode”を“Full”にすると全画面表示となる。
【００６７】
図１０は、操作パネルによる操作を説明するための模式図である。操作パネル内は機能毎のパネルとなっており、各パネルを折り畳んで格納することができる。パネルの分類は以下の通りである。
・View
表示に関する設定
・Camera control
カメラ操作に関する設定
・Panorama
パノラマ表示
・Preset position
プリセットに関する設定
・Trigger
トリガーに関する設定
・Other
その他の設定
【００６８】
各パネルをクリックすると、そのパネルが開くように構成されている。図１０（Ａ）は、“View”をクリックした状態を示しており、“View”欄の下にメニューが表示される。一方、図１０（Ｂ）は、“Camera control”をクリックした状態を示しており、“Camera control”欄の下にメニューが表示される。また、図１０（Ｃ）はパネル“Camera control”をドラッグした状態を示しており、ドラッグすることによりパネル“Camera control”をフローティングウィンドウにすることができる。
【００６９】
図１１は、パネル“View”をクリックした場合に“Screen Mode”、“View Size” “Image Codec”、“Frame Rate”などのメニューが表示された状態を示している。“Screen Mode”メニューでは、表示モードをノーマルとフルスクリーンに変更できる。“View Size”では、画像の1/4,1/2,等倍,Fitモードを指定できる。Fitモードは現在の表示エリアの大きさに合わせて画像を表示する。“Image Codec” メニューでは、Codecの変更を行うことができる。“Frame Rate”メニューでは、JPEGのフレームレートを変更することができる。動画保存ボタンは動画の保存に、静止画保存ボタンは静止画の保存のために用いる。その他、マイクボリュームスライダー、マイクミュートオン/オフボタン、音声ボリュームスライダー、音声ミュートオン/オフボタン等が設けられている。
【００７０】
図１２は、パネル“Camera”をクリックした場合に表示されるメニューを示している。“Operation Mode”メニューでは、画像上での操作モード切替を行うことができる。パン、チルト制御ボタンでは、矢印方向のボタンを操作することにより、パン、チルト方向を指定することができる。パン、チルト制御ボタンの真中に位置するボタンは、ホームポジションボタンである。ズームボタンは、カメラ端末装置２００のズームを指定するボタンであって、光学ズームとデジタルズームの境界が分かるように構成されている。ズームボタンの「W」、「T」を押し続けるとズーム操作が継続して行われる。また、フォーカスボタンは、フォーカスを「遠距離」、「近距離」に設定するために用いられる。その他、ＯＮＥ  ＰＵＳＨ  ＡＵＴＯ  ＦＯＣＵＳボタン、排他制御の制御権獲得ボタン等の各種ボタンが設けられている。
【００７１】
図１３は、“Preset position”、“Trigger”、“Other”、“information”をクリックした場合に表示される各メニューを示している。“Preset
position”は、予め定められた複数の撮影方向の画像をサムネイル表示したもので、サムネイル画像の１つをクリックして選択することにより、カメラ端末装置２００を選択したサムネイル画像の方向に向けることができる。
【００７２】
（６）第１のパノラマ画像上での撮影方向の指定
次に、図１４〜図１８に基づいて、第１のパノラマ画像の表示について説明する。図１４は、モニター３１０の表示画面において、操作パネルの“Preset position”をクリックして第１のパノラマ画像を表示した状態を示す模式図である。なお、操作パネルの右側にはライブ映像が表示されている。上述したように、“Preset position”欄をドラッグして移動することにより、図１５に示すように、第１のパノラマ画像が表示されたサブパネルを操作パネルの外に配置することができる。また、第１のパノラマ画像が表示されたサブパネルは表示画面内で移動することができる。
【００７３】
図１６は、第１のパノラマ画像が表示されたサブパネルを詳細に示す模式図である。第１のパノラマ画像には、右側のライブ映像で表示されている画像の方向（カメラ端末装置２００の撮像光学系の光軸の向き）が、＋印によって示されている。また、図１６に示すように、第１のパノラマ画像の右上のパノラマ切替釦をクリックすることにより、第１のパノラマ画像を第２のパノラマ画像に切換えることができる。
【００７４】
図１７は、第１のパノラマ画像を用いてライブ映像の方向を変更する操作を示している。カメラ端末装置２００のパン・チルト方向を変更する場合、上述したパン、チルト制御ボタンによって行うことができるが、第１のパノラマ画像中の任意の点を指定することによっても行うことができる。図１７の状態では、＋印の方向にカメラ端末装置２００の撮像光学系の光軸が向けられ、その方向のライブ映像が表示されている。この状態で図１７の第１のパノラマ画像に示す●印の部分をクリックすると、ユーザ操作に応じた操作信号ＵＳが制御部３１０に送られて、これに基づいてカメラ端末装置２００の撮像方向制御部２０４が制御されることにより、●印の方向にカメラ端末装置２００の撮像光学系の光軸が向けられる。従って、操作パネルの右側に表示されるライブ映像は、●印の方向の映像に切り換わる。
【００７５】
これにより、ユーザは、第１のパノラマ画像中の任意の点を指定することにより、カメラ端末装置２００のパン・チルト方向を指定することができる。第１のパノラマ画像には、カメラ端末装置２００が撮影可能なパン・チルト方向の映像が全て含まれていることから、ユーザは、第１のパノラマ画像上でカメラ端末装置２００の方向を指定することで、所望の方向のライブ映像を表示することができる。なお、クリックする位置を示す＋印の代わりに、所定範囲を囲む枠で領域指定して光軸の向きを制御するようにしても良い。
【００７６】
第１のパノラマ画像上でカメラ端末装置２００の方向を指定した場合に、第１のパノラマ画像の表示状態は変わらずにライブ映像のみが切り換わるモードと、第１のパノラマ画像が回転するモードがある。第１のパノラマ画像が回転するモードでは、図１８に示すように、現在ライブ映像が表示されている位置（＋印）は第１のパノラマ画像の中心から上方に向かう直線Ｌ上に位置するように第１のパノラマ画像の角度位置が設定される。次に第１のパノラマ画像上で●印をクリックすると、操作パネルの右側に表示されるライブ映像は、●印の方向の映像に切り換わり、同時に第１のパノラマ画像において●印の位置が直線Ｌ上に位置するように第１のパノラマ画像が回転する。従って、ユーザは、第１のパノラマ画像を見ることで、ライブ映像の方向が第１のパノラマ画像の直線Ｌ上であることを即座に認識することができる。
【００７７】
第２のパノラマ画像においても同様に、ユーザは、第２のパノラマ画像中の任意の点を指定することにより、カメラ端末装置２００のパン方向を指定することができ、これに基づいてライブ映像の方向を切換えることができる。
【００７８】
図１９は、図４に示したようなパノラマ画像の代わりに、円筒状の曲面にパノラマ画像を表示して参照画像とした例を示している。このように、＋１８０°から−１８０°の範囲で表示される長方形のパノラマ画像を円筒面上に表示するようにしても良い。これにより、ユーザによる視認性を高めることができ、所望の方向の映像を表示させることができる。図１９の場合においても、ユーザは、曲面上の「表示指定点」を指定することにより、カメラ端末装置２００のパン方向を指定することができ、これに基づいてライブ映像の方向を切換えることができる。なお、撮影方向の指定を含む上記処理は、ＧＵＩ表示制御信号ＣＴｇに基づいて、表示処理部３０５により行われる。
【００７９】
（７）第１のパノラマ画像を表示したことによる効果
次に、図２０〜図２２に基づいて、第１のパノラマ画像の表示による効果について説明する。図２０は、床面上に「金庫」と「テーブル」が配置され、「金庫」と「テーブル」の中間位置（点Ｏ）の直上にカメラ端末装置２００が設置された様子を示している。そして、カメラ端末装置２００のライブ映像により「金庫」に近づく不審者を監視できるものとする。
【００８０】
図２１は、図２０の状態において、第１のパノラマ画像をライブ映像とともにモニタ３１０に表示した状態（図２１（Ａ））と、第２のパノラマ画像をライブ映像とともにモニタ３１０に表示した状態（図２１（Ｂ））を模式的に示している。既に説明したように、第１のパノラマ画像または第２のパノラマ画像上の任意の位置をクリックすると、カメラ端末装置２００の光軸の向きをクリックした位置に変更することができ、ライブ映像の撮影方向を変更することができる。
【００８１】
図２１（Ｂ）に示すように、第２のパノラマ画像の場合、カメラ端末装置２００の真下、すなわち、「金庫」と「テーブル」の中間の位置では、画像が歪んでいるため、クリックした位置に光軸の向きを変更したとしても、光軸の向きは実際の「金庫」と「テーブル」の中間位置（図２０に示す点Ｏ）の位置とはならない。つまり、「金庫」と「テーブル」の中心の周辺を見たい場合に、第２のパノラマ画像（長方形パノラマ画像）上で操作すると、本来ユーザが見たい箇所から外れた映像となってしまい、直感的な制御ができない。このため、図２１（Ｂ）に示すように、ライブ映像の下辺から「金庫」と「テーブル」の映像が表示画面からはみ出してしまう事態が生じる。
【００８２】
一方、図２１（Ａ）に示すように、俯瞰した状態で画像が表示されることから、「金庫」と「テーブル」の中間位置（図２０に示す点Ｏ）を直感的にクリックすることができる。また、第１のパノラマ画像の場合は、点Ｏ付近の映像の歪みが比較的少ないため、光軸の向きは正確に点Ｏの位置を向く。従って、ライブ映像においても、「金庫」と「テーブル」の映像が表示画面からはみ出してしまうことはない。
【００８３】
また、図２２は、図２０及び図２１の場合において、ライブ映像中に「金庫」の近辺を不審者が移動している様子と、第１のパノラマ画像及び第２のパノラマ画像を示している。ライブ映像中で「金庫」の近辺を不審者が移動している場合、不審者を追跡するためには、不審者の動きに合わせてカメラ端末装置２００の光軸の向きを変えていく必要がある。
【００８４】
このような場合において、第２のパノラマ画像の場合、「金庫」と「テーブル」の中間の位置では画像が歪んでいるため、画像の真下で移動方向を換えるようにクリック位置を意図的に操作する必要が生じる。
【００８５】
一方、第１のパノラマ画像の場合、「金庫」と「テーブル」の中間の位置での画像の歪みが少ないため、ライブ映像を見ながら、不審者の移動に合わせて直感的にクリックをしていくことで、不審者の移動に合わせて光軸の向きを移動させることができる。
【００８６】
なお、カメラ端末装置２００の直下ではなく、周辺付近を見たい場合には、第２のパノラマ画像の方が、歪みが少なく、第１のパノラマ画像よりもより直感的な制御が可能となる。本実施形態では、状況に応じて第１のパノラマ画像と第２のパノラマ画像を切換えることが可能なため、場面に応じて、ユーザの使い易さを向上させることが可能である。また、表示画面内にスペースがあれば、第１のパノラマ画像と第２のパノラマ画像を両方表示することで、切り替え操作が不要となり、使い易さを向上させることが可能である。
以上の実施の形態では、長方形のパノラマ画像において、撮像方向を中央位置になるように制御していたが、これに限らず、撮像方向を変えてもパノラマ画像を回転させず固定としたままでもよい。
【００８７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８８】
１００    撮像システム
２００    カメラ端末装置
３００    センターサーバー
３０１    ネットワークインターフェース部
３０５    表示処理部
３１０    制御部
５００    ネットワーク
７００    撮像装置
７０１    記憶部
７０４    画像処理部
７０５    表示処理部
７１０    制御部
【図１】
2010287965.tif 000004
【図２】
2010287965.tif 000005
【図３】
2010287965.tif 000006
【図４】
2010287965.tif 000007
【図５】
2010287965.tif 000008
【図６】
2010287965.tif 000009
【図７】
2010287965.tif 000010
【図８】
2010287965.tif 000011
【図９】
2010287965.tif 000012
【図１０】
2010287965.tif 000013
【図１１】
2010287965.tif 000014
【図１２】
2010287965.tif 000015
【図１３】
2010287965.tif 000016
【図１４】
2010287965.tif 000017
【図１５】
2010287965.tif 000018
【図１６】
2010287965.tif 000019
【図１７】
2010287965.tif 000020
【図１８】
2010287965.tif 000021
【図１９】
2010287965.tif 000022
【図２０】
2010287965.tif 000023
【図２１】
2010287965.tif 000024
【図２２】
2010287965.tif 000025